(57)【特許請求の範囲】
【請求項１】
ビデオ復号化装置が行う符号化されたビデオの復号化方法において、 
ビットストリームのシーケンスパラメータセットに対する部分に含まれた参照ピクチャセットの個数を前記ビットストリームのシーケンスパラメータセットに対する部分から獲得する段階と、
現在参照ピクチャセットのインデックスが前記参照ピクチャセットの個数と同一であるか否かを決定する段階と、
前記現在参照ピクチャセットのインデックス値が前記参照ピクチャセットの個数と同一であれば、前記参照ピクチャセットのインデックスと候補参照ピクチャセットのインデックスとの差に対するデルタ情報を前記ビットストリームから獲得する段階と、
前記デルタ情報に基づき前記候補参照ピクチャセットのインデックスを決定する段階と、
前記候補参照ピクチャセットのインデックスに基づいて、前記現在参照ピクチャセットを決定する段階と、を含み、
前記候補参照ピクチャセットのインデックスの値は、前記現在参照ピクチャセットのインデックスの値よりも小さいことを特徴とする復号化方法。
【請求項２】
前記参照ピクチャセットは、
前記ビットストリームのシーケンスパラメータセットに対する第１部分及び前記ビットストリームのスライスヘッダに対する第２部分のうち少なくとも一つから獲得されることを特徴とする請求項１に記載の復号化方法。
【請求項３】
前記ビットストリームの第１部分に基づき決定された参照ピクチャセットのインデックス値は前記参照ピクチャセットの個数より小さく、前記ビットストリームの第２部分を用いて獲得される参照ピクチャセットのインデックス値は前記候補参照ピクチャセットの個数と同一であることを特徴とする請求項２に記載の復号化方法。
【請求項４】
前記デルタ情報は、前記現在参照ピクチャセットのインデックスと前記候補参照ピクチャセットのインデックスとの差分から１を減じた値を示すことを特徴とする請求項２に記載の復号化方法。
【請求項５】
前記候補参照ピクチャセットは、前記ビットストリームの第１部分から獲得された参照ピクチャセットであることを特徴とする請求項２に記載の復号化方法。
【請求項６】
符号化されたビデオのビットストリームを獲得する受信部と、
前記ビットストリームのシーケンスパラメータセットに対する部分に含まれた参照ピクチャセットの個数を前記ビットストリームのシーケンスパラメータセットに対する部分から獲得し、
現在参照ピクチャセットのインデックスが前記参照ピクチャセットの個数と同一であるか否かを決定し、
前記現在参照ピクチャセットのインデックス値が前記参照ピクチャセットの個数と同一であれば、前記参照ピクチャセットのインデックスと候補参照ピクチャセットのインデックスとの差に対するデルタ情報を前記ビットストリームから獲得し、
前記デルタ情報に基づいて前記候補参照ピクチャセットのインデックスを決定し、
前記候補参照ピクチャセットのインデックスに基づき前記現在参照ピクチャセットを決定する参照ピクチャセット決定部と、を備え、
前記候補参照ピクチャセットのインデックスの値は、前記現在参照ピクチャセットのインデックスの値よりも小さいことを特徴とする復号化装置。
【請求項７】
現在映像を予測するために利用可能な参照ピクチャセットを決定する段階と、
シーケンスパラメータセットに対する部分に含まれる参照ピクチャセットの個数についての情報を生成する段階と、
現在参照ピクチャセットのインデックスと候補参照ピクチャセットのインデックスとの差分に係わるデルタ情報を生成する段階と、
前記デルタ情報及び前記参照ピクチャセットの個数についての情報を含むビットストリームを生成する段階と、を含み、
前記参照ピクチャセットの個数についての情報は、前記ビットストリームのシーケンスパラメータセットに対する部分に含まれ、
前記デルタ情報は、前記現在参照ピクチャセットのインデックスがシーケンスパラメータセットに含まれた参照ピクチャセットの個数と同一である場合、現在参照ピクチャセットの決定に利用するために生成され、
前記候補参照ピクチャセットのインデックスの値は、前記現在参照ピクチャセットのインデックスの値よりも小さいことを特徴とする符号化方法。
【請求項８】
現在映像を予測するために利用可能な参照ピクチャセットを決定するＲＰＳ決定部と、
シーケンスパラメータセットに対する部分に含まれる参照ピクチャセットの個数についての情報を生成し、現在参照ピクチャセットのインデックスと候補参照ピクチャセットのインデックスとの差分についてのデルタ情報を生成し、前記デルタ情報及び前記参照ピクチャセットの個数についての情報を含むビットストリームを生成する出力部と、を含み、
前記参照ピクチャセットの個数についての情報は、前記ビットストリームのシーケンスパラメータセットに対する部分に含まれ、
前記デルタ情報は、前記現在参照ピクチャセットのインデックスがシーケンスパラメータセットに含まれた参照ピクチャセットの個数と同一である場合、現在参照ピクチャセットの決定に利用するために生成され、
前記候補参照ピクチャセットのインデックスの値は、前記現在参照ピクチャセットのインデックスの値よりも小さいことを特徴とする符号化装置。
【発明の詳細な説明】
【技術分野】
【０００１】
本発明は、復号化される現在映像の予測復号化に利用される参照映像の集合であるＲＰＳ（reference  picture  set）を決定するための方法及びその装置に関する。
【背景技術】
【０００２】
最近、デジタルディスプレイ技術が発展し、高画質のデジタルＴＶ（television）時代が到来することにより、大容量の動画データを処理するための新たなコーデック（codec）が提案されている。現在映像の予測復号化に利用される参照映像の情報は、符号化されて復号化側に伝送される。復号化側は、伝送された参照映像の情報を利用して、現在映像の予測復号化を行うことができる。
【発明の概要】
【発明が解決しようとする課題】
【０００３】
本発明が解決する技術的課題は、現在映像の予測復号化に利用される参照映像の集合であるＲＰＳを決定するための方法及びその装置を提供するところにある。
【課題を解決するための手段】
【０００４】
前述の技術的課題を解決するための本発明の一実施形態によるＲＰＳ（Reference  Picture  Set）決定方法は、復号化される現在映像の予測復号化に利用される参照映像の集合であるＲＰＳを決定するために、既定義のＲＰＳのうち一つであり、前記ＲＰＳが決定されるのに参照される参照ＲＰＳに属した参照映像のＰＯＣ（Picture  Order  Count）値と、前記ＲＰＳに属した参照映像のＰＯＣ値との差値であるΔＲＰＳに基づいて、ＲＰＳを決定するか否かということを決定する段階と、前記決定された結果に基づいて、前記ＲＰＳを決定する段階と、を含むことを特徴とする。
【０００５】
前記ＲＰＳを決定する段階は、前記決定された結果に基づいて、前記現在映像と以前映像とのＰＯＣ値に基づいて、前記ΔＲＰＳが決定され、前記決定されたΔＲＰＳに基づいて、前記ＲＰＳが決定されるか、あるいは前記参照ＲＰＳの識別値である前記参照ＲＰＳのインデックスと前記ΔＲＰＳとに基づいて、前記ＲＰＳが決定されるかということを示すフラグを獲得する段階と、前記フラグ値によって、前記ＲＰＳを決定する段階と、を含むことを特徴とする。
【０００６】
前記ＲＰＳは、ＳＰＳ（Sequence  Parameter  Set）で事前に定義されていないＲＰＳであることを特徴とする。
【０００７】
さらに、前記ＲＰＳを決定する段階は、前記現在映像のＰＯＣ値と、前記以前映像のＰＯＣ値との差値に基づいて、前記ＲＰＳのΔＲＰＳを決定する段階と、前記ＲＰＳのΔＲＰＳと、前記以前映像の予測復号化に利用されたＲＰＳとに基づいて、前記ＲＰＳを決定する段階と、を含むことを特徴とする。
【０００８】
さらに、前記ＲＰＳを決定する段階は、前記ΔＲＰＳと、前記参照ＲＰＳのインデックスとを獲得する段階と、前記参照ＲＰＳのインデックスに基づいて、前記参照ＲＰＳを獲得する段階と、前記ΔＲＰＳの値が、前記参照ＲＰＳに属した参照映像のＰＯＣ値にそれぞれ加えられた値に基づいて、前記ＲＰＳを決定する段階と、を含むことを特徴とする。
【０００９】
前述の技術的課題を解決するための本発明の一実施形態によるＲＰＳシグナリング方法は、復号化される現在映像の予測復号化に利用される参照映像の集合であるＲＰＳを決定する段階と、前記決定されたＲＰＳをシグナリングするために、既定義のＲＰＳのうち一つであり、前記ＲＰＳの決定に参照される参照ＲＰＳに属した参照映像のＰＯＣ値と、前記ＲＰＳに属した参照映像のＰＯＣ値との差値であるΔＲＰＳに基づいて、ＲＰＳをシグナリングするか否かということを決定する段階と、前記決定された結果に基づいて、前記ＲＰＳをシグナリングする段階と、を含むことを特徴とする。
【００１０】
前記ＲＰＳをシグナリングする段階は、前記決定された結果に基づいて、前記現在映像と以前映像とのＰＯＣ値に基づいて、前記ΔＲＰＳが決定され、前記決定されたΔＲＰＳに基づいて、前記ＲＰＳが獲得されるか、あるいは前記参照ＲＰＳの識別値である前記参照ＲＰＳのインデックスと前記ΔＲＰＳとに基づいて、前記ＲＰＳが獲得されるか否かということを決定する段階と、前記決定された結果によって、フラグをビットストリームの所定領域に付加する段階と、を含むことを特徴とする。
【００１１】
さらに、前記ＲＰＳは、ＳＰＳで事前に定義されていないＲＰＳであることを特徴とする。
【００１２】
さらに、前記現在映像と前記以前映像とのＰＯＣ値に基づいて、前記ＲＰＳが獲得される場合、前記ＲＰＳのΔＲＰＳは、前記現在映像のＰＯＣ値と、前記以前映像のＰＯＣ値との差値に基づいて決定され、前記ＲＰＳは、前記ＲＰＳのΔＲＰＳと、前記以前映像の予測復号化に利用されたＲＰＳとに基づいて、獲得されることを特徴とする。
さらに、前記ΔＲＰＳと前記参照ＲＰＳのインデックスとに基づいて、前記ＲＰＳが獲得される場合、前記ΔＲＰＳと、前記参照ＲＰＳのインデックスとを、前記ビットストリームの所定領域に付加する段階をさらに含み、前記参照ＲＰＳのインデックスに基づいて獲得された前記参照ＲＰＳと、前記ΔＲＰＳとに基づいて、前記ＲＰＳが獲得されることを特徴とする。
【発明の効果】
【００１３】
本発明の一実施例によれば、現在映像の予測復号化に利用されるＲＰＳを獲得するためのΔＲＰＳをシグナリングするために、ビデオ符号化装置がΔＲＰＳを明示的に符号化して伝送する必要なしに、ビデオ復号化装置は、現在映像と以前映像とのＰＯＣ値の差を利用してΔＲＰＳを獲得することにより、ビデオ符号化装置で符号化されるビット数を減らすことができる。
【図面の簡単な説明】
【００１４】
【図１Ａ】本発明の一実施形態によるビデオ符号化装置の内部構成を示したブロック図である。
【図１Ｂ】本発明の一実施形態によるビデオ符号化装置の内部構成を示したブロック図である。
【図２Ａ】本発明の一実施形態によるビデオ復号化装置の内部構成を示したブロック図である。
【図２Ｂ】本発明の一実施形態によるビデオ復号化装置の内部構成を示したブロック図である。
【図３】本発明の一実施形態による映像符号化部の内部構成を示したブロック図である。
【図４】本発明の一実施形態による映像復号化部の内部構成を示したブロック図である。
【図５】本発明の一実施形態によるＲＰＳシグナリング方法を示したフローチャートである。
【図６】本発明の一実施形態によるＲＰＳシグナリング方法を示したフローチャートである。
【図７】本発明の一実施形態によるＲＰＳ決定方法を示したフローチャートである。
【図８】本発明の一実施形態によるＲＰＳ決定方法を示したフローチャートである。
【図９】本発明の一実施形態によるＳＰＳの一例を示した図面である。
【図１０】本発明の一実施形態によるスライスヘッダ（slice  header）の一例を示した図面である。
【図１１】本発明の一実施形態による短期ＲＰＳの一例を示した図面である。
【図１２Ａ】本発明の一実施形態による映像のＲＰＳの一例を示した図面である。
【図１２Ｂ】本発明の一実施形態による映像のＲＰＳの一例を示した図面である。
【発明を実施するための形態】
【００１５】
以下、本発明の望ましい実施形態について、添付した図面を参照して詳細に説明する。ただし、下記の説明及び添付された図面において、本発明の要旨を不明確にする公知機能または構成に係わる詳細な説明は省略する。また、図面全体にわたり、同一の構成要素は、可能な限り同一の図面符号で示されているということに留意しなければならない。
【００１６】
以下で説明する本明細書及び特許請求の範囲に使用された用語や単語は、一般的であったり辞書的であったりする意味に限定して解釈されてはならず、発明者は、自身の発明を最善の方法で説明するための用語として適切に定義することができるという原則に基づいて、本発明の技術的思想に符合する意味及び概念に解釈されなければならない。従って、本明細書に記載された実施形態と、図面に図示された構成は、本発明の最も望ましい一実施形態に過ぎず、本発明の技術的思想をいずれも代弁するものではないので、本出願時点において、それらを代替することができる多様な均等物と変形例とがあり得ることを理解しなければならない。
【００１７】
本発明の原理は、任意のイントラフレーム基盤とインターフレーム基盤とのエンコーディング標準に適用される。本明細書全般にわたって使用される「映像」という用語は、「映像」という用語自体だけではなく、「フレーム」、「フィールド」及び「スライス」として関連分野で公知されているビデオイメージ情報の多様な形態を説明するための包括的な用語として使用される。
【００１８】
参照映像は、現在映像内のブロックをインター予測するために使用される映像でもある。
【００１９】
一般的に、エンコーディング側は、ＰＯＣ（picture  order  count）値を利用して、参照映像を識別することができる。ＰＯＣ値は、対応する映像の相対的なディスプレイ順序を示す。例えば、低いＰＯＣ値を有した映像は、高いＰＯＣ値を有する映像より先にディスプレイされる。映像のディスプレイ順序と、デコーディングされる順序は、それぞれ異なる。低いＰＯＣ値を有する映像が、高いＰＯＣ値を有する映像より先にデコーディングされないこともある。低いＰＯＣ値を有する映像が、高いＰＯＣ値を有する映像より先にデコーディングされるということも言うまでもない。
【００２０】
本発明の一実施形態において、説明された技術は、ＨＥＶＣ（high  efficiency  video  coding  high  efficiency  video  coding）標準に基づいて説明したが、それに制限されるものではなく、他のビデオコーディング技術にも適用される。例えば、ＨＥＶＣ標準によって、ＲＰＳ（reference  picture  set）について説明したが、ＲＰＳは、他の標準にも拡張して適用される。
【００２１】
以下、添付された図面を参照し、本発明の望ましい実施形態について説明する。
【００２２】
図１Ａ及び図１Ｂは、本発明の一実施形態によるビデオ符号化装置の内部構成を示したブロック図である。
【００２３】
図１Ａを参照すれば、本発明の一実施形態によるビデオ符号化装置１００は、ＲＰＳ決定部１０１及びシグナリング方法決定部１０２を含んでもよい。
【００２４】
本発明の一実施形態において、ＲＰＳは、復号化される現在映像の予測復号化に利用される参照映像の集合を意味するものであり、ＳＰＳ（sequence  parameter  set）やスライスヘッダ（slice  header）において定義される。ＳＰＳは、プロファイル、レベルなどシーケンス全体の符号化に係わる情報が含まれているヘッダ情報であり、インデックスによって識別される複数個のＲＰＳを含んでもよい。スライスヘッダは、ＳＰＳで定義されたＲＰＳ以外に、追加して定義されたＲＰＳを含んでもよい。追加して定義されたＲＰＳは、前記ＲＰＳを含むスライスヘッダと対応する映像で利用される。
【００２５】
ＲＰＳに属した参照映像は、現在映像を基準にしたＰＯＣ値で表示される。すなわち、ＲＰＳが利用される現在映像のＰＯＣ値を０にするとき、参照映像のＰＯＣ値が表示される。ＲＰＳには、短期ＲＰＳ（short  term  reference  picture  set）と長期ＲＰＳ（long  term  reference  picture  set）が存在するが、本発明の一実施形態において、以下言及されるＲＰＳは、短期ＲＰＳでもある。
【００２６】
映像符号化装置１００が、スライスヘッダ内でＲＰＳを定義する、すなわち、シグナリングする方法として、インターＲＰＳ予測方法がある。インターＲＰＳ予測方法によれば、映像符号化装置１００は、ＳＰＳで既定義のＲＰＳのうち一つのＲＰＳを参照して、現在映像の予測復号化に利用されるＲＰＳが獲得されるように、スライスヘッダ内でＲＰＳをシグナリングすることができる。具体的には、映像符号化装置１００は、前記ＲＰＳのΔ（delta）ＲＰＳと、前記ＲＰＳが決定されるのに参照される参照ＲＰＳのインデックスとをビットストリームに付加することにより、ＲＰＳをシグナリングすることができる。復号化側において、ＲＰＳは、参照ＲＰＳに、参照ＲＰＳと前記ＲＰＳとの差であるΔＲＰＳが加えられることによって獲得される。すなわち、参照ＲＰＳに属した参照映像のＰＯＣ値に、それぞれΔＲＰＳが加えられることによってＲＰＳが獲得される。前記参照ＲＰＳは、ＳＰＳで既定義の値としてインデックスに識別される。
【００２７】
本発明の一実施形態によれば、現在映像の予測復号化に利用されるＲＰＳのΔＲＰＳは、現在映像と以前映像とのＰＯＣ値の差と同一であるという点から獲得される。このとき、以前映像は、符号化された順序を基準に、現在映像の以前映像を意味する。それは、現在映像の参照映像は、以前出力される映像の参照映像であるか、あるいは以前デコーディングされた映像の参照映像でなければならないからである。従って、本発明の一実施形態において、ＲＰＳのΔＲＰＳは、以前デコーディングされた映像と現在映像とのＰＯＣ差から獲得される。従って、ビデオ符号化装置１００は、ΔＲＰＳと参照ＲＰＳのインデックスとをビットストリームに付加せず、現在映像の予測復号化に利用されるＲＰＳをシグナリングすることができる。このとき、復号化側では、現在映像と以前映像とのＰＯＣ値の差からＲＰＳのΔＲＰＳを獲得し、以前映像の予測復号化に利用されたＲＰＳを獲得し、ΔＲＰＳと、以前映像の予測復号化に利用されたＲＰＳとから、現在映像の予測復号化に利用されるＲＰＳを獲得することができる。
【００２８】
本発明の一実施形態によるビデオ符号化装置１００は、現在映像を予測復号化するときに利用されるＲＰＳを決定し、ビデオ符号化装置１００がＲＰＳをシグナリングする方法に基づいて、フラグをビットストリームに付加することができる。また、ビデオ符号化装置１００は、決定されたＲＰＳを利用して、現在映像を符号化することができる。
【００２９】
ＲＰＳ決定部１０１は、現在映像の予測復号化に利用されるＲＰＳを決定することができる。決定されたＲＰＳは、シグナリング方法決定部１０２によって決定されたシグナリング方法によってシグナリングされる。
【００３０】
シグナリング方法決定部１０２は、ＲＰＳ決定部１０１によって決定されたＲＰＳをシグナリングするために、ΔＲＰＳに基づいて、ＲＰＳをシグナリングするか否かということを決定し、前記決定された結果に基づいて、ＲＰＳをシグナリングすることができる。
【００３１】
図１Ｂを参照すれば、本発明の一実施形態によるビデオ符号化装置１００は、ＲＰＳ決定部１１０、シグナリング方法決定部１２０、フラグ挿入部１３０、映像符号化部１４０及び出力部１５０を含んでもよい。図１ＢのＲＰＳ決定部１１０及びシグナリング方法決定部１２０は、図１ＡのＲＰＳ決定部１０１及びシグナリング方法決定部１０２と対応するものであり、重複する説明は省略する。ＲＰＳ決定部１１０は、現在映像の予測復号化に利用されるＲＰＳを決定することができる。
【００３２】
シグナリング方法決定部１２０は、現在映像の予測復号化に利用されるＲＰＳをシグナリングする方法を決定することができる。シグナリング方法決定部１２０は、ΔＲＰＳに基づいて、ＲＰＳを決定するか否かということを決定し、決定された結果に基づいて、前記ＲＰＳをシグナリングする方法を決定することができる。本発明の一実施形態において、ΔＲＰＳに基づいて、ＲＰＳをシグナリングする方法は、二つが存在する。第１シグナリング方法によれば、ビデオ符号化装置１００は、復号化側が、現在映像と以前映像とのＰＯＣ値に基づいてΔＲＰＳを決定し、前記決定されたΔＲＰＳに基づいて、現在映像の予測復号化に利用されるＲＰＳを決定するようにシグナリングすることができる。また、第２シグナリング方法によれば、ビデオ符号化装置１００は、復号化側が、現在映像の予測復号化に利用されるΔＲＰＳと、参照ＲＰＳのインデックスとに基づいて、現在映像の予測復号化に利用されるＲＰＳを決定するようにシグナリングすることができる。復号化側は、ビデオ符号化装置１００から伝送された参照ＲＰＳのインデックスを利用して参照ＲＰＳを獲得し、ΔＲＰＳと参照ＲＰＳとに基づいて、現在映像の予測復号化に利用されるＲＰＳを決定することができる。
【００３３】
フラグ挿入部１３０は、シグナリング方法決定部１２０によって決定されたシグナリング方法によって、フラグをビットストリームに付加することができる。具体的には、フラグ挿入部１３０は、前記第１シグナリング方法と、第２シグナリング方法とに対応するフラグ値を異ならせ、ビットストリームに付加することができる。例えば、フラグ挿入部１３０は、第１シグナリング方法によって、現在映像の予測復号化に利用されるＲＰＳがシグナリングされる場合、フラグ値を１とすることができる。また、フラグ挿入部１３０は、現在映像の予測復号化に利用されるＲＰＳが、第２シグナリング方法でシグナリングされる場合、フラグ値を０とすることができる。従って、復号化側は、フラグ値に基づいて、シグナリング方法を決定し、決定されたシグナリング方法によって、現在映像の予測復号化に利用されるＲＰＳを決定することができる。
【００３４】
映像符号化部１４０は、ＲＰＳ決定部１１０で決定されたＲＰＳを利用して、現在映像を符号化することができる。符号化された映像は、ビットストリーム形態に変換され、出力部１５０を介してビデオ復号化装置２００（図２Ａ及び図２Ｂ）に伝送される。
【００３５】
出力部１５０は、符号化された映像と、映像を復号化するのに必要な情報に係わるビットストリームとを出力することができる。フラグ挿入部１３０によって、ビットストリームに付加されたフラグは、映像を復号化するのに必要な情報であり、ビットストリームに付加して出力部１５０によって出力される。
【００３６】
図２Ａ及び図２Ｂは、本発明の一実施形態によるビデオ復号化装置の内部構成を示したブロック図である。
【００３７】
図２Ａを参照すれば、ビデオ復号化装置２００は、ＲＰＳ決定部２０１を含んでもよい。
【００３８】
ＲＰＳ決定部２０１は、復号化される現在映像の予測復号化に利用される参照映像の集合であるＲＰＳを決定するために、ΔＲＰＳに基づいて、ＲＰＳを決定するか否かということを決定し、前記決定された結果に基づいて、ＲＰＳを決定することができる。
【００３９】
図２Ｂを参照すれば、ビデオ復号化装置２００は、受信部２１０、フラグ獲得部２２０、ＲＰＳ決定部２３０及び映像復号化部２４０を含んでもよい。図２ＢのＲＰＳ決定部２３０は、図２ＡのＲＰＳ決定部２０１と対応するものであり、重複する説明は省略する。
【００４０】
受信部２１０は、符号化された映像に係わるビットストリームを受信してパージングすることができる。
【００４１】
フラグ獲得部２２０は、パージングされたビットストリームからＲＰＳを獲得するためのフラグを獲得することができる。フラグ値によって、第１シグナリング方法として、現在映像と以前映像とのＰＯＣ値に基づいて、現在映像の予測復号化に利用されるＲＰＳが決定されるか、あるいは第２シグナリング方法として、ビデオ符号化装置１００から伝送されたΔＲＰＳと、参照ＲＰＳのインデックスとに基づいて、現在映像の予測復号化に利用されるＲＰＳが決定される。
【００４２】
ＲＰＳ決定部２３０は、フラグ獲得部２２０によって獲得されたフラグによって、現在映像の予測復号化に利用されるＲＰＳを決定することができる。第１シグナリング方法によれば、ＲＰＳ決定部２３０は、現在映像と以前映像とのＰＯＣ値の差値に基づいて、ＲＰＳのΔＲＰＳを決定し、以前映像の予測復号化に利用されたＲＰＳを決定することができる。そして、ＲＰＳ決定部２３０は、決定されたΔＲＰＳを、以前映像の予測復号化に利用されたＲＰＳに加えることにより、現在映像の予測復号化に利用されるＲＰＳを決定することができる。すなわち、ΔＲＰＳの値が、以前映像の予測復号化に利用されたＲＰＳに属した参照映像のＰＯＣ値それぞれに加えられた値に基づいて、ＲＰＳが決定される。また、第２シグナリング方法によれば、ＲＰＳ決定部２３０は、ビデオ符号化装置１００から伝送された参照ＲＰＳのインデックスを利用して、参照ＲＰＳを獲得することができる。また、ＲＰＳ決定部２３０は、ビデオ符号化装置１００から伝送されたΔＲＰＳを参照ＲＰＳに加え、現在映像の予測復号化に利用されるＲＰＳを獲得することができる。すなわち、ΔＲＰＳの値が、参照ＲＰＳに属した参照映像のＰＯＣ値それぞれに加えられた値に基づいて、ＲＰＳが決定される。
【００４３】
映像復号化部２４０は、ＲＰＳ決定部２３０によって決定されたＲＰＳを利用して、映像を復号化することができる。
【００４４】
図３は、本発明の一実施形態による映像符号化部の内部構成を示したブロック図である。図３を参照すれば、本発明の一実施形態による映像符号化部３００は、動き推定部３０１、動き補償部３０２、イントラ予測部３０３、変換部３０５、量子化部３０６）、エントロピー符号化部３０７、逆量子化部３０８、逆変換部３０９、デブロッキング部３１０及びループ・フィルタリング部３１１を含んでもよい。図３の映像符号化部３００は、図１の映像符号化部１４０と対応する。
【００４５】
動き推定部３０１は、動画を構成する映像のうち、外部から現在入力された映像である現在映像に係わるＲＰＳに属した参照映像を利用して、現在映像の動きを推定することができる。
【００４６】
動き補償部３０２は、現在映像に係わるＲＰＳに属した参照映像を利用して、現在映像の予測映像を生成することができる。さらに詳細に説明すれば、動き補償部３０２は、動き推定部３０１によって推定された現在映像の動きを利用して、現在映像の予測映像を生成することができる。
【００４７】
イントラ予測部３０３は、現在映像を構成するブロックのうち、イントラモードに該当するブロックそれぞれに対して予測することにより、現在映像の予測映像を生成することができる。
【００４８】
変換部３０５は、現在映像から予測映像を減算して算出された残差映像を、空間領域から周波数領域に変換することができる。例えば、変換部３０５は、ＤＨＴ（discrete  Hadamard  transform）、ＤＣＴ（discrete  cosine  transform）の整数変換などを利用して、残差映像を空間領域から周波数領域に変換することができる。
【００４９】
量子化部３０６は、変換部３０５によって変換された結果を量子化することができる。
【００５０】
エントロピー符号化部３０７は、量子化部３０６によって量子化された結果を、エントロピー符号化することにより、ビットストリームを生成することができる。特に、エントロピー符号化部３０７は、量子化部３０６によって量子化された結果以外に、動画復号化のための情報、例えば、インター予測に使用されたＲＰＳ情報、動きベクトル情報、イントラ予測に使用された隣接ブロックの位置情報などをエントロピー符号化することができる。
【００５１】
逆量子化部３０８は、量子化部３０６によって量子化された結果を逆量子化することができる。
【００５２】
逆変換部３０９は、逆量子化部３０８によって逆量子化された結果、すなわち、変換係数値を周波数領域から空間領域に変換することにより、現在映像と予測映像との残差映像を復元することができる。
【００５３】
デブロッキング部３１０とループ・フィルタリング部３１１は、逆量子化部３０８によって復元された映像に、適応的にフィルタリングを行うことができる。
【００５４】
図４は、本発明の一実施形態による映像復号化部の内部構成を示したブロック図である。図４を参照すれば、本発明の一実施形態による映像復号化部４００は、パージング部４０１、エントロピー復号化部４０３、逆量子化部４０５、逆変換部４０７、イントラ予測部４０９、動き補償部４１５、デブロッキング部４１１、ループ・フィルタリング部４１３を含んでもよい。図４の映像復号化部４００は、図２の映像復号化部２４０と対応する。
【００５５】
パージング部４０１は、ビットストリームから、復号化対象である符号化された映像データ、及び復号化のために必要な符号化に係わる情報をパージングすることができる。
【００５６】
エントロピー復号化部４０３は、ビットストリームをエントロピー復号化することにより、動画復号化のための情報を復元することができる。
【００５７】
逆量子化部４０５は、エントロピー復号化部４０３によって復元された値を逆量子化することにより、変換係数値を復元することができる。
【００５８】
逆変換部４０７は、逆量子化部４０２によって復元された変換係数値を、周波数領域から空間領域に変換することにより、現在映像と予測映像との残差映像を復元することができる。
【００５９】
イントラ予測部４０９は、現在映像を構成するブロックのうち、イントラモードに該当するブロックそれぞれについて復元された現在映像を構成するブロックのうち、現在映像のブロックの隣りに位置した復元ブロックの値から、現在映像のブロックの値を予測することにより、現在映像の予測映像を生成することができる。予測映像に残差映像が加算されることにより、復元映像が生成される。
【００６０】
動き補償部４１５は、現在映像の予測復号化に利用されるＲＰＳに含まれた参照映像から、現在映像の予測映像を生成することができる。予測映像に残差映像が加算されることにより、復元映像が生成される。
【００６１】
デブロッキング部４１１とループ・フィルタリング部４１３は、復元映像に適応的にフィルタリングを行うことができる。
【００６２】
図５は、本発明の一実施形態によるＲＰＳシグナリング方法を示したフローチャートである。図５を参照すれば、段階Ｓ５０１で、本発明の一実施形態による映像符号化装置１００は、現在映像の予測復号化に利用されるＲＰＳを決定することができる。すなわち、映像符号化装置１００は、現在映像を符号化するときに参照する映像の集合であるＲＰＳを決定することができる。映像符号化装置１００は、ＳＰＳで定義されたＲＰＳのうち１つのＲＰＳのインデックスを指し示すことによって決定するか、あるいはＳＰＳで定義されたＲＰＳ以外に、スライスヘッダで追加してＲＰＳを定義することができる。本発明の一実施形態によれば、ＳＰＳで定義されたＲＰＳ以外に、追加してＲＰＳがスライスヘッダで定義される場合、後述する第１シグナリング方法及び第２シグナリング方法によって、ＲＰＳが定義される。
【００６３】
段階Ｓ５０３で、映像符号化装置１００は、ΔＲＰＳに基づいて、ＲＰＳが獲得されるか否かということを決定することができる。
【００６４】
段階Ｓ５０５で、映像符号化装置１００は、前記段階Ｓ５０３で決定された結果に基づいて、ＲＰＳをシグナリングすることができる。
【００６５】
図６は、本発明の一実施形態によるＲＰＳシグナリング方法を示したフローチャートである。図６を参照すれば、段階Ｓ６０１で、本発明の一実施形態による映像符号化装置１００は、ΔＲＰＳに基づいて、現在映像の予測復号化に利用されるＲＰＳをシグナリングすることができる。
【００６６】
段階Ｓ６０３で、映像符号化装置１００は、ΔＲＰＳに基づいて、ＲＰＳをシグナリングする場合、決定された現在映像の予測復号化に利用されるＲＰＳをシグナリングするために、第１シグナリング方法として、決定された現在映像の予測復号化に利用されるＲＰＳをシグナリングするために、現在映像と以前映像とのＰＯＣ値の差に基づいて、ＲＰＳが獲得されるか、あるいは第２シグナリング方法として、前記ＲＰＳのΔＲＰＳと、前記ＲＰＳが決定されるのに参照される参照ＲＰＳのインデックスとに基づいて、ＲＰＳが獲得されるか否かということを決定することができる。このとき、参照ＲＰＳは、ＳＰＳで既定義のＲＰＳのうち一つであり、参照ＲＰＳは、参照ＲＰＳのインデックスによって識別される。映像符号化装置１００は、前記２つのシグナリング方法のうち、さらに良好な符号化効率を有するシグナリング方法を決定することができる。例えば、映像符号化装置１００は、ビット率歪曲コスト（rate  distortion  cost）に基づいて、ＲＰＳのシグナリング方法を決定することができる。段階Ｓ６０５で、現在映像と以前映像とのＰＯＣ値に基づいて、ＲＰＳを獲得する第１シグナリング方法で、ＲＰＳをシグナリングする場合、段階Ｓ６０７で、１の値を有するフラグをビットストリームの所定領域に付加することができる。それにより、現在映像の予測復号化に利用されるＲＰＳがシグナリングされる。
【００６７】
段階Ｓ６０５で、ΔＲＰＳと参照ＲＰＳのインデックスとをシグナリングする第２シグナリング方法で、現在映像の予測復号化に利用されるＲＰＳをシグナリングする場合、段階Ｓ６０９で、０の値を有するフラグをビットストリームの所定領域に付加することができる。
【００６８】
第２シグナリング方法によれば、映像復号化装置２００が、現在映像の予測復号化に利用されるＲＰＳをインターＲＰＳ方法によって獲得するためには、現在映像のΔＲＰＳと、参照ＲＰＳのインデックス値とが必要であるので、符号化された現在映像のΔＲＰＳと、参照ＲＰＳのインデックスとがビットストリームに付加されることが必要である。
【００６９】
段階Ｓ６１１で、映像符号化装置１００は、現在映像の予測復号化に利用されるＲＰＳを獲得するために参照される参照ＲＰＳのインデックスを決定することができる。このとき、映像符号化装置１００は、符号化効率を基準に、参照ＲＰＳのインデックスを決定することができる。参照ＲＰＳは、ＳＰＳですでに定義されており、各ＲＰＳのインデックスとして識別される。
【００７０】
段階Ｓ６１３で、映像符号化装置１００は、段階Ｓ６１１で決定された参照ＲＰＳのインデックスを利用して、ΔＲＰＳを獲得することができる。映像符号化装置１００は、参照ＲＰＳのインデックスを利用して、ＳＰＳで定義された参照ＲＰＳを獲得し、獲得された参照ＲＰＳと、現在映像の予測復号化に利用されるＲＰＳとの差を求め、ΔＲＰＳを獲得することができる。
【００７１】
さらに、段階Ｓ６１３で、ΔＲＰＳが適用される参照ＲＰＳの参照映像を示す値も、共に定義される。例えば、参照ＲＰＳが、｛−１，１，３，５｝であり、現在映像の予測復号化に利用されるＲＰＳとしてシグナリングされるＲＰＳが、｛−２，０，２｝であり、ΔＲＰＳ値が−１であると仮定すれば、参照ＲＰＳにΔＲＰＳを適用するとき、４番目の参照映像のＰＯＣ値には、ΔＲＰＳが適用されないことにより、決定されたＲＰＳは、前記ＲＰＳ｛−２，０，２｝と同一値になる。従って、ΔＲＰＳが適用される参照映像を示す値として、４番目の参照映像の位置が０である｛１，１，１，０｝が定義される。ΔＲＰＳが適用される参照映像を示す値は、第２シグナリング方法はもとより、第１シグナリング方法でも定義されてシグナリングされる。
【００７２】
段階Ｓ６１５で、映像符号化装置１００は、参照ＲＰＳのインデックスとΔＲＰＳとを符号化し、ビットストリームの所定領域に付加することにより、現在映像の予測復号化に利用されるＲＰＳをシグナリングすることができる。
【００７３】
図７は、本発明の一実施形態によるＲＰＳ決定方法を示したフローチャートである。図７を参照すれば、段階Ｓ７０１で、映像復号化装置２００は、現在映像の予測復号化に利用されるＲＰＳを決定するために、ΔＲＰＳに基づいて、ＲＰＳを決定するか否かということを決定することができる。
【００７４】
段階Ｓ７０３で、映像復号化装置２００は、段階Ｓ７０１で決定された結果に基づいて、ＲＰＳを決定することができる。
【００７５】
図８は、本発明の一実施形態によるＲＰＳ決定方法を示したフローチャートである。図８を参照すれば、段階Ｓ８０１で、映像復号化装置２００は、ΔＲＰＳに基づいて、ＲＰＳを決定する場合、現在映像の予測復号化に利用されるＲＰＳを決定するために、第１シグナリング方法を利用するか、あるいは第２シグナリング方法を利用するかということを示すフラグを獲得することができる。
【００７６】
段階Ｓ８０３で、フラグが１であるならば、映像復号化装置２００は、以下の段階で、第１シグナリング方法を利用して、現在映像の予測復号化に利用されるＲＰＳを決定することができる。
【００７７】
段階Ｓ８０５で、映像復号化装置２００は、第１シグナリング方法によって、現在映像と以前映像とのＰＯＣ値を獲得することができる。
【００７８】
段階Ｓ８０７で、映像復号化装置２００は、獲得したＰＯＣ値を利用して、現在映像のΔＲＰＳを獲得することができる。すなわち、映像復号化装置２００は、前記獲得した現在映像と、以前映像とのＰＯＣ値の差値を、現在映像の予測復号化に利用されるＲＰＳのΔＲＰＳとして決定することができる。
【００７９】
段階Ｓ８０９で、映像復号化装置２００は、ＲＰＳを獲得するための参照ＲＰＳとして利用される、以前映像の予測復号化に利用されたＲＰＳを獲得することができる。
【００８０】
段階Ｓ８１１で、映像復号化装置２００は、ΔＲＰＳと、以前映像の予測復号化に利用されたＲＰＳとを利用して、ＲＰＳを獲得することができる。すなわち、映像復号化装置２００は、以前映像の予測復号化に利用されたＲＰＳに属した参照映像のＰＯＣ値に、ΔＲＰＳをそれぞれ加えることにより、ＲＰＳを獲得することができる。このとき、ΔＲＰＳが適用される参照映像を示す値をさらに利用して、前記ＲＰＳが獲得されもする。
【００８１】
一方、段階Ｓ８０３で、映像復号化装置２００は、フラグが０であるならば、第２シグナリング方法を利用して、現在映像の予測復号化に利用されるＲＰＳを決定することができる。
【００８２】
段階Ｓ８１３で、映像復号化装置２００は、ビットストリームの所定領域から、参照ＲＰＳのインデックスとΔＲＰＳとを獲得することができる。
【００８３】
段階Ｓ８１５で、映像復号化装置２００は、段階Ｓ８１３で獲得された参照ＲＰＳのインデックスを利用して、参照ＲＰＳを獲得することができる。参照ＲＰＳは、インデックスとして識別されるＳＰＳで既定義の値でもある。
【００８４】
段階Ｓ８１７で、映像復号化装置２００は、参照ＲＰＳとΔＲＰＳとに基づいて、現在映像の予測復号化に利用されるＲＰＳを決定することができる。すなわち、映像復号化装置２００は、参照ＲＰＳの各参照映像のＰＯＣ値にΔＲＰＳを加えることにより、現在映像の予測復号化に利用されるＲＰＳを獲得することができる。このとき、ΔＲＰＳが適用される参照ＲＰＳの参照映像を示す値に基づいて、現在映像の予測復号化に利用されるＲＰＳが決定される。
【００８５】
図９は、本発明の一実施形態によるＳＰＳの一例を示した図面である。図９を参照すれば、ＳＰＳには短期ＲＰＳ個数としてのｎｕｍ＿short＿term＿ｒｅｆ＿ｐｉｃ＿sets（１）と、ｎｕｍ＿short＿term＿ｒｅｆ＿ｐｉｃ＿sets（１）の値ほどのshort＿term＿ｒｅｆ＿ｐｉｃ＿ｓｅｔ（ｉ）（３）とが定義される。ＳＰＳには、前述のように、映像の予測復号化に利用される参照映像の集合であるＲＰＳが定義され、それぞれのＲＰＳは、インデックスとして識別される。
【００８６】
図１０は、本発明の一実施形態によるスライスヘッダの一例を示した図面である。図１０を参照すれば、スライスヘッダで短期ＲＰＳが定義される場合、short＿term＿ｒｅｆ＿ｐｉｃ＿set＿ｓｐｓ＿flag（５）値に０が付加される。short＿term＿ｒｅｆ＿ｐｉｃ＿set＿ｓｐｓ＿flag（５）値が０であるならば、スライスヘッダのshort＿term＿ｒｅｆ＿ｐｉｃ＿set（ｎｕｍ＿short＿term＿ｒｅｆ＿ｐｉｃ＿sets）（７）で、短期ＲＰＳが定義される。スライスヘッダで定義されるＲＰＳは、ＳＰＳで定義されたＲＰＳ以外の値でもある。
【００８７】
図１１は、本発明の一実施形態による短期ＲＰＳの一例を示した図面である。図１１を参照すれば、short＿term＿ｒｅｆ＿ｐｉｃ＿set（ｉｄｘ）で、図１０に図示されたスライスヘッダで定義される短期ＲＰＳが定義される。
【００８８】
インターＲＰＳ方法によって、ＲＰＳが定義されるか否かということに基づいて、inter＿ｒｅｆ＿ｐｉｃ＿set＿prediction＿flag（９）値が決定される。
【００８９】
if（inter＿ｒｅｆ＿ｐｉｃ＿set＿prediction＿flag）（１１）で、inter＿ｒｅｆ＿ｐｉｃ＿set＿prediction＿flag値が１であるならば、ｉｄｘ＝＝ｎｕｍ＿short＿term＿ｒｅｆ＿ｐｉｃ＿sets（１３）であるとき、すなわち、ＲＰＳのインデックスがＳＰＳで定義された短期ＲＰＳの個数と同一であるとき、derived＿delta＿ｒｐｓ＿flag（１５）値が決定される。
【００９０】
ＳＰＳに定義された短期ＲＰＳのインデックスは０から（ｎｕｍ＿short＿term＿ｒｅｆ＿ｐｉｃ＿sets−１）の値を有することができる。従って、ＲＰＳのインデックスが、ＳＰＳに定義された短期ＲＰＳ個数と同一である場合は、スライスヘッダでＳＰＳに定義されていないＲＰＳを定義する場合に該当する。すなわち、derived＿delta＿ｒｐｓ＿flag（１５）値は、スライスヘッダでＳＰＳに定義されていないＲＰＳを定義する場合に決定される。
【００９１】
derived＿delta＿ｒｐｓ＿flag（１５）値は、本発明の一実施形態において、ビットストリームに付加して獲得されるフラグと対応し、derived＿delta＿ｒｐｓ＿flag（１５）値に基づいて、ＲＰＳがシグナリングされる。
【００９２】
derived＿delta＿ｒｐｓ＿flag（１５）が０である場合には、本発明の一実施形態によるビデオ復号化装置２００は、ΔＲＰＳと、参照ＲＰＳのインデックスとを利用して、現在映像の予測復号化に利用されるＲＰＳを獲得することができる。
【００９３】
derived＿delta＿ｒｐｓ＿flag（１５）が１の場合には、delta＿ｉｄｘ＿minus１（１９）、delta＿ｒｐｓ＿sign（２１）、ａｂｓ＿delta＿ｒｐｓ＿minus１（２３）から、下記数式（１）及び数式（２）によって、ΔＲＰＳと参照ＲＰＳのインデックスとが獲得される。
【００９４】
DeltaＲＰＳ＝（１−２＊delta＿ｒｐｓ＿sign）＊（ａｂｓ＿delta＿ｒｐｓ＿minus１＋１）      （１）
ＲＩｄｘ＝ｉｄｘ−（delta＿ｉｄｘ＿minus１＋１）      （２）
前記数式（１）及び数式（２）で、DeltaＲＰＳは、ΔＲＰＳ、ＲＩｄｘは、参照ＲＰＳのインデックスである。
【００９５】
delta＿ｒｐｓ＿sign（２１）は、０または１の値を有し、それぞれ負数値または正数値を意味する。ａｂｓ＿delta＿ｒｐｓ＿minus１（２３）は、ΔＲＰＳで１が減算された値である。
【００９６】
ｉｄｘは、スライスヘッダで定義される短期ＲＰＳのインデックスであり、delta＿ｉｄｘ＿minus１（１９）は、Δインデックス値であり、前記ＲＰＳと、参照ＲＰＳのインデックス値との差値から１が減算された値である。
【００９７】
図１２Ａ及び図１２Ｂは、本発明の一実施形態による映像のＲＰＳの一例を示した図面である。図１２Ａは、デコーディング順序とＰＯＣとが同一ではない任意アクセス（random  access）でデコーディングされるフレームを示したものであり、図１２Ｂは、デコーディング順序とＰＯＣとが同一である低遅滞（low  delay）でデコーディングされるフレームを示したものである。
【００９８】
図１２Ａ及び図１２Ｂを参照すれば、各フレーム別に、ＰＯＣ  ２５，３１、参照映像２７，３３、ΔＲＰＳ  ２９，３５が表示されている。フレーム番号は、デコーディングされる順序によるものである。
【００９９】
ΔＲＰＳ  ２９，３５は、参照ＲＰＳと、現在映像の予測復号化に利用されるＲＰＳとに含まれた各参照映像のＰＯＣ値の差値である。このとき、参照映像のＰＯＣ値は、現在映像が０であるものを基準にする。図１２Ａに図示された各フレームの参照ＲＰＳは、以前デコーディングされたフレームの予測復号化に利用されたＲＰＳである。従って、参照映像２７，３３を参照すれば、それぞれ以前映像と現在映像との予測復号化に利用されるＲＰＳは、ΔＲＰＳ  ２９値ほど差が存在する。
【０１００】
例えば、図１２Ａで、フレーム４のＲＰＳは、｛−１，１，３，７｝であり、フレーム５のＲＰＳは、｛−１，−３，１，５｝である。フレーム５のΔＲＰＳは、−２である。従って、フレーム５のＲＰＳは、ΔＲＰＳをフレーム４のＲＰＳにそれぞれ加えることによって獲得される。すなわち、フレーム５のＲＰＳは、｛−１−２＝−３，１−２＝−１，３−２＝１，７−２＝５｝になる。ただし、ＲＰＳのＰＯＣ値にΔＲＰＳが加えられる場合は、reference  ｉｄｃｓ値３０によって制限される。すなわち、reference  ｉｄｃｓ値３０が１であるＰＯＣ値にのみΔＲＰＳが加えられ、現在映像の予測復号化に利用されるＲＰＳが獲得される。reference  ｉｄｃｓ値３０，３６は、前述のΔＲＰＳが適用されるＲＰＳの参照映像を示す値と対応する。
【０１０１】
一方、ΔＲＰＳ  ２９，３５とＰＯＣ  ２５，３１を比較すれば、ＰＯＣ  ２５，３１の現在映像と以前映像との差値が、各フレームのΔＲＰＳ  ２９，３５と同一である。それは、現在映像の参照映像は、以前出力される映像の参照映像であるか、あるいは以前デコーディングされた映像の参照映像ではなければならないからである。従って、本発明の一実施形態において、ΔＲＰＳは、明示的に符号化されて伝送される必要なしに、ビデオ復号化装置２００は、以前デコーディングされた映像と現在映像とのＰＯＣ差値を利用して、現在映像の予測復号化に利用されるＲＰＳのΔＲＰＳを獲得することができる。
【０１０２】
本発明の一実施形態によれば、現在映像の予測復号化に利用されるＲＰＳを獲得するためのΔＲＰＳをシグナリングするために、ビデオ符号化装置がΔＲＰＳを明示的に符号化して伝送する必要なしに、ビデオ復号化装置は、現在映像と以前映像とのＰＯＣ値の差を利用して、ΔＲＰＳを獲得することにより、ビデオ符号化装置で符号化されるビット数を減らすことができる。
【０１０３】
本発明は、コンピュータで読み取り可能な記録媒体に、コンピュータ（情報処理機能を有する装置をいずれも含む）で読み取り可能なコードでもって具現することが可能である。コンピュータで読み取り可能な記録媒体は、コンピュータシステムによって読み取り可能なデータが保存される全種の記録装置を含む。コンピュータで読み取り可能な記録装置の例としては、ＲＯＭ（read-only  memory）、ＲＡＭ（random-access  memory）、ＣＤ（compact  disc）−ＲＯＭ、磁気テープ、フロッピー（登録商標）ディスク、光データ保存装置などがある。
【０１０４】
たとえ前記説明が多様な実施形態に適用される本発明の新規特徴に焦点を合わせて説明したにしても、本技術分野の当業者であるならば、本発明の範囲を外れずに、前述の装置及び方法の形態、並びに詳細事項において、多様な削除、代替及び変更が可能であるということを理解するであろう。従って、本発明の範囲は、前述のところよりは、特許請求の範囲によって定義される。特許請求の範囲の均等範囲におけるあらゆう変形は、本発明の範囲に包摂されるのである。
【先行技術文献】
【非特許文献】
【０１０５】
【非特許文献１】引用文献１：TK  Tan,  CS  Boon,  AHG21:  Inter  reference  picture  set  prediction  syntax  and  semantics.,  Joint  Collaborative  team  on  Video  Coding  (JCT-VC)  of  ITU-T  SG16  WP3  and  ISO/IEC  JTC1/SC29/WG11  7th  Meeting:  Geneva,  CH,  21-30  November,  2011,  米国，JCTVC,  ２０１１年１１月８日,  JCTVC-G198,  p.1-p.7
【０１０６】
以下、本願により教示される手段を例示的に列挙する。
（付記１）
復号化される現在映像の予測復号化に利用される参照映像の集合であるＲＰＳ（Reference  Picture  Set）を決定するために、既定義のＲＰＳのうち一つであり、前記ＲＰＳが決定されるのに参照される参照ＲＰＳに属した参照映像のＰＯＣ値と、前記ＲＰＳに属した参照映像のＰＯＣ（Picture  Order  Count）値との差値であるΔＲＰＳに基づいて、ＲＰＳを決定するか否かということを決定する段階と、
前記決定された結果に基づいて、前記ＲＰＳを決定する段階と、を含むことを特徴とするＲＰＳ決定方法。
（付記２）
前記ＲＰＳを決定する段階は、
前記決定された結果に基づいて、前記現在映像と以前映像とのＰＯＣ値に基づいて、前記ΔＲＰＳが決定され、前記決定されたΔＲＰＳに基づいて、前記ＲＰＳが決定されるか、あるいは前記参照ＲＰＳの識別値である前記参照ＲＰＳのインデックスと前記ΔＲＰＳとに基づいて、前記ＲＰＳが決定されるか否かということを示すフラグを獲得する段階と、
前記フラグ値によって、前記ＲＰＳを決定する段階と、を含むことを特徴とする付記１に記載のＲＰＳ決定方法。
（付記３）
前記ＲＰＳは、ＳＰＳ（sequence  parameter  Set）で事前に定義されていないＲＰＳであることを特徴とする付記１に記載のＲＰＳ決定方法。
（付記４）
前記ＲＰＳを決定する段階は、
前記現在映像のＰＯＣ値と、前記以前映像のＰＯＣ値との差値に基づいて、前記ＲＰＳのΔＲＰＳを決定する段階と、
前記ＲＰＳのΔＲＰＳと、前記以前映像の予測復号化に利用されたＲＰＳとに基づいて、前記ＲＰＳを決定する段階と、を含むことを特徴とする付記２に記載のＲＰＳ決定方法。
（付記５）
前記ＲＰＳを決定する段階は、
前記ΔＲＰＳと、前記参照ＲＰＳのインデックスとを獲得する段階と、
前記参照ＲＰＳのインデックスに基づいて、前記参照ＲＰＳを獲得する段階と、
前記ΔＲＰＳの値が、前記参照ＲＰＳに属した参照映像のＰＯＣ値にそれぞれ加えられた値に基づいて、前記ＲＰＳを決定する段階と、を含むことを特徴とする付記２に記載のＲＰＳ決定方法。
（付記６）
復号化される現在映像の予測復号化に利用される参照映像の集合であるＲＰＳ（Reference  Picture  Set）を決定する段階と、
前記決定されたＲＰＳをシグナリングするために、既定義のＲＰＳのうち一つであり、前記ＲＰＳが決定されるのに参照される参照ＲＰＳに属した参照映像のＰＯＣ（Picture  Order  Count）値と、前記ＲＰＳに属した参照映像のＰＯＣ値との差値であるΔＲＰＳに基づいて、ＲＰＳをシグナリングするか否かということを決定する段階と、
前記決定された結果に基づいて、前記ＲＰＳをシグナリングする段階と、を含むことを特徴とするＲＰＳシグナリング方法。
（付記７）
前記ＲＰＳをシグナリングする段階は、
前記決定された結果に基づいて、前記現在映像と以前映像とのＰＯＣ値に基づいて、前記ΔＲＰＳが決定され、前記決定されたΔＲＰＳに基づいて、前記ＲＰＳが獲得されるか、あるいは前記参照ＲＰＳの識別値である前記参照ＲＰＳのインデックスと前記ΔＲＰＳとに基づいて、前記ＲＰＳが獲得されるか否かということを決定する段階と、
前記決定された結果によって、フラグをビットストリームの所定領域に付加する段階と、を含むことを特徴とする付記６に記載のＲＰＳシグナリング方法。
（付記８）
前記ＲＰＳは、ＳＰＳ（sequence  parameter  Set）で事前に定義されていないＲＰＳであることを特徴とする付記６に記載のＲＰＳシグナリング方法。
（付記９）
前記現在映像と前記以前映像とのＰＯＣ値に基づいて、前記ＲＰＳが獲得される場合、
前記ＲＰＳのΔＲＰＳは、前記現在映像のＰＯＣ値と、前記以前映像のＰＯＣ値との差値に基づいて決定され、
前記ＲＰＳは、前記ＲＰＳのΔＲＰＳと、前記以前映像の予測復号化に利用されたＲＰＳとに基づいて、獲得されることを特徴とする付記７に記載のＲＰＳシグナリング方法。
（付記１０）
前記ΔＲＰＳと、前記参照ＲＰＳのインデックスとに基づいて、前記ＲＰＳが獲得される場合、
前記ΔＲＰＳと、前記参照ＲＰＳのインデックスとを、前記ビットストリームの所定領域に付加する段階をさらに含み、
前記参照ＲＰＳのインデックスに基づいて獲得された前記参照ＲＰＳと、前記ΔＲＰＳとに基づいて、前記ＲＰＳが獲得されることを特徴とする付記７に記載のＲＰＳシグナリング方法。
（付記１１）
復号化される現在映像の予測復号化に利用される参照映像の集合であるＲＰＳ（Reference  Picture  Set）を決定するために、既定義のＲＰＳのうち一つであり、前記ＲＰＳが決定されるのに参照される参照ＲＰＳに属した参照映像のＰＯＣ（Picture  Order  Count）値と、前記ＲＰＳに属した参照映像のＰＯＣ値との差値であるΔＲＰＳに基づいて、ＲＰＳを決定するか否かということを決定し、前記決定された結果に基づいて、前記ＲＰＳを決定するＲＰＳ決定部を含むことを特徴とするビデオ復号化装置。
（付記１２）
前記ビデオ復号化装置は、
前記決定された結果に基づいて、前記現在映像と以前映像とのＰＯＣ値に基づいて、前記ΔＲＰＳが決定され、前記決定されたΔＲＰＳに基づいて、前記ＲＰＳが決定されるか、あるいは前記参照ＲＰＳの識別値である前記参照ＲＰＳのインデックスと前記ΔＲＰＳとに基づいて、前記ＲＰＳが決定されるか否かということを示すフラグを獲得するフラグ獲得部をさらに含み、
前記ＲＰＳ決定部は、
前記フラグ値によって、前記ＲＰＳを決定することを特徴とする付記１１に記載のビデオ復号化装置。
（付記１３）
前記ＲＰＳは、ＳＰＳ（sequence  parameter  Set）で事前に定義されていないＲＰＳであることを特徴とする付記１１に記載のビデオ復号化装置。
（付記１４）
復号化される現在映像の予測復号化に利用される参照映像の集合であるＲＰＳを決定するＲＰＳ決定部と、
前記決定されたＲＰＳをシグナリングするために、既定義のＲＰＳのうち一つであり、前記ＲＰＳが決定されるのに参照される参照ＲＰＳに属した参照映像のＰＯＣ（Picture  Order  Count）値と、前記ＲＰＳに属した参照映像のＰＯＣ値との差値であるΔＲＰＳに基づいて、前記ＲＰＳをシグナリングするか否かということを決定し、前記決定された結果に基づいて、前記ＲＰＳをシグナリングするシグナリング方法決定部と、を含むことを特徴とするビデオ符号化装置。
（付記１５）
前記シグナリング方法決定部は、
前記決定された結果に基づいて、前記現在映像と以前映像とのＰＯＣ値に基づいて、前記ΔＲＰＳが決定され、前記ΔＲＰＳに基づいて、前記ＲＰＳが獲得されるか、あるいは前記参照ＲＰＳの識別値である前記参照ＲＰＳのインデックスと前記ΔＲＰＳとに基づいて、前記ＲＰＳが獲得されるか否かということを決定し、
前記決定された結果によって、フラグをビットストリームの所定領域に付加するフラグ挿入部をさらに含むことを特徴とする付記１４に記載のビデオ符号化装置。
【図１Ａ】
0006553573.tif 000002
【図１Ｂ】
0006553573.tif 000003
【図２Ａ】
0006553573.tif 000004
【図２Ｂ】
0006553573.tif 000005
【図３】
0006553573.tif 000006
【図４】
0006553573.tif 000007
【図５】
0006553573.tif 000008
【図６】
0006553573.tif 000009
【図７】
0006553573.tif 000010
【図８】
0006553573.tif 000011
【図９】
0006553573.tif 000012
【図１０】
0006553573.tif 000013
【図１１】
0006553573.tif 000014
【図１２Ａ】
0006553573.tif 000015
【図１２Ｂ】
0006553573.tif 000016